(57)【要約】【課題】草地内などに棲息しているノミやダニなどが、散歩中のペット類の下脚部に接触ないしは取り付いて上体に移動しようとする際に、下脚部を包み込むように装着した防虫足輪の部分で常温蒸散性の殺虫成分と接触するため、接触と同時あるいはその後の短時間内に死滅させることができ、ペット類へのノミやダニなどの寄生を防止することができる。【解決手段】筒内をペットの下脚部が貫挿されて該下脚部を部分的に包み込むように装着可能な筒状の伸縮性ペット用防虫足輪であって、該ペット用足輪は殺虫・防虫剤含有の伸縮性材料から構成され、非装着時の内周が装着時におけるペットの下脚部の装着部の外周長さとほぼ同等ないしはそれより短く、装着の際にはペット下脚部が筒内を貫挿可能に円周方向に伸張してなることを特徴とする伸縮性ペット用防虫足輪。【選択図】図４
2008005733.tif 000002
【特許請求の範囲】
【請求項１】
筒内をペットの下脚部が貫挿されて該下脚部を部分的に包み込むように装着可能な筒状の伸縮性ペット用防虫足輪であって、該ペット用足輪は殺虫・防虫剤含有の伸縮性材料から構成され、非装着時の内周が装着時におけるペットの下脚部の装着部の外周長さとほぼ同等ないしはそれより短く、装着の際にはペット下脚部が筒内を貫挿可能に円周方向に伸張してなることを特徴とする伸縮性ペット用防虫足輪。
【発明の詳細な説明】
【技術分野】
【０００１】
本発明は、犬、猫などのペット類を対象としたペット用防虫足輪に関する。
【背景技術】
【０００２】
犬や猫などのペット類が散歩する草地内には多くのノミやダニが棲息していることはよく知られており、ペット類に寄生するノミやダニの多くは、ペット類がこのような草地内を散歩している際にペット類の下脚部を通じて伝播すると言われている。
【０００３】
ペット類に寄生したノミやダニなどの害虫はペット類に不快感を与えるのみならず、病気の原因にもなるため、寄生した害虫の駆除が必要になる。
従来、このような犬、猫などのペット類に寄生したノミやダニなどの害虫に対する駆除材として、常温揮発性の殺虫成分を含浸せしめた軟質塩化ビニル樹脂やオレフィン系エラストマーなどの柔軟性のある熱可塑性樹脂をベルト状に成形した防虫首輪が代表的なものとしてよく知られている。
【０００４】
しかし、このようなペット用の防虫首輪は、すでにペット類に寄生してしまったノミ、ダニなどの害虫駆除を目的とし、これら害虫がペット類の体表を移動して首部分を通過する際に、首輪に含浸させた殺虫成分によりこれらの害虫を駆除せんとするものであるが、体毛の密生したペット類にすでに寄生してしまったノミ、ダニなどの害虫を確実に駆除するには必ずしも十分とはいえなかった。
【発明の開示】
【発明が解決しようとする課題】
【０００５】
このようなことから、本発明者らはノミやダニなどの害虫がペット類に寄生するのは、草地等を散歩している際にこれら害虫がペット類の下脚部を通じて伝播するためであり、これら害虫をペット類に有効に寄生させないためには、ペット類の下脚部にこれら害虫が接触ないしは取り付いたときに常温蒸散性の殺虫成分と接触させることにより、接触と同時あるいはその後の短時間内に死滅させればよいことに着目し、本発明に至った。
【課題を解決するための手段】
【０００６】
本発明は、筒内をペットの下脚部が貫挿されて該下脚部を部分的に包み込むように装着可能な筒状の伸縮性ペット用防虫足輪であって、該ペット用足輪は殺虫・防虫剤含有の伸縮性材料から構成され、非装着時の内周が装着時におけるペットの下脚部の装着部の外周長さとほぼ同等ないしはそれより短く、装着の際にはペット下脚部が筒内を貫挿可能に円周方向に伸張してなることを特徴とする伸縮性ペット用防虫足輪を提供するものである。
【発明の効果】
【０００７】
本発明の伸縮性ペット用防虫足輪（以下、本防虫足輪とする）は、これをペットの下脚部を包みこむように装着させることにより、草地内などに棲息しているノミやダニなどが、散歩中のペット類の下脚部に接触ないしは取り付いて上体に移動しようとする際に、下脚部に装着した足輪の部分で常温蒸散性の殺虫成分と接触するため、接触と同時あるいはその後の短時間内に死滅させることができ、ペット類への害虫の寄生を防止することができる。
【発明を実施するための最良の形態】
【０００８】
本防虫足輪は、少なくとも円周方向に伸縮自在の伸縮性の筒状物であり、かつその筒状物の素材中に常温蒸散性の殺虫・防虫成分が含有されているならば、その形状は任意であって、特に限定されない。
【０００９】
代表的な足輪の製造例としては、例えば網目の面積が０．５〜３０ｍｍ２程度、好ましくは１〜１０ｍｍ２程度の常温蒸散性の殺虫成分を含有する熱可塑性樹脂製ネットを幅２〜５ｃｍ、長さ５〜３０ｃｍ程度に裁断し（図１）、その長さ方向に、市販されている直径０.３〜１.５ｍｍ程度の少なくとも１本の糸ゴムを伸張させながら幅方向と平行に直線状に重ね（図２）、この状態で該糸ゴムとネットを縫製等によって一体的に固定し、糸ゴムの伸張を解いたのち（図３）、該ネットの両端部および糸ゴムの両端部を縫合等により結合させることにより、糸ゴムの収縮により熱可塑性樹脂可塑製ネットは細かな収縮襞を形成しつつ、糸ゴムの伸張前の長さに相当する円周長さをもつ伸縮性を有する筒状の本防虫足輪が製造される。（図４）
【００１０】
この際、伸張する前の糸ゴムの長さを、ペット類の下脚部の外周長さにほぼ同等ないしはそれより若干長くしておくことにより、得られた筒状の防虫足輪の内周長さに相当する伸縮性を有する筒状の所望の足輪を得ることができる。
【００１１】
尚、工業的には、上記方法に準じて上記幅の長尺の熱可塑性樹脂製ネットに伸張した糸ゴムを長さ方向に平行に直線状に重ねて一体的に縫製等により固定し、その後糸ゴムの伸張を解除する。
糸ゴムの伸張解除により、元のネットは糸ゴムと一体となって収縮襞を多数形成しながら、伸張前の糸ゴムの長さにまで収縮する。これをペット類の下脚部の装着部位の外周長さとほぼ同等ないしはそれより若干短く切断し、その両端部を縫合等により結合させることにより容易に本防虫足輪を効率よく製造することができる。
【００１２】
上記方法において、糸ゴムの配置は適宜の間隔を持って少なくとも２本以上有することが好ましく、その場合、一般的にはネット幅の上下両端近くに設けられ、３本以上設けられる場合には更にネットの幅方向の中間位置に設けられる。
【００１３】
また、他の方法として、熱可塑性樹脂製ネットの網目を利用して適宜の間隔の網目に裏表交互に糸ゴムを通したのち、熱可塑性樹脂製ネットと糸ゴムを固定するか、固定することなく、糸ゴムを装着するペット類の下脚部の外周部とほぼ同等若しくはそれより若干短くなるように、糸ゴムの両端を結合させるとともに、ネットの両端部を縫合結合することにより製造することもできる。
【００１４】
尚、前記熱可塑性樹脂ネットの代わりに、網目の細かい編織物類などを使用することも可能ではあるが、装着時におけるペット類の下脚部への通気性、蒸散性殺虫成分の蒸散速度などを考慮すると前記ネット類が最も好ましい。
【００１５】
このような構造とすることにより、前記防虫足輪はネットの襞部分と糸ゴムの伸縮作用により円周方向に伸縮性を有することとなり、該防虫足輪を円周方向に手で押し広げながら伸張し、ペット類の足先から上方に向けて筒状物の内側を貫挿させ、所定の位置まで貫挿させたところで手を離せば、該足輪は糸ゴムの収縮により下脚部の所定部分を包みこむように固定させることができる。
【００１６】
この際、糸ゴムの太さや長さを調整して伸縮の程度を調整することによりペット類の下脚部への緊縛力を調節することができるが、防虫足輪の内周が装着時におけるペット類の外周長さより短すぎると下脚部への緊縛力が強くなりすぎて不快感を与えたり血行障害を起こし、また、長すぎると装着部位から脱落したりノミやダニなどの害虫との接触度が弱くなって効果に乏しくなるところから、当該足輪の内周は、装着時におけるペット類の下脚部の装着部の外周長さとほぼ同等ないしはそれより若干短い程度が好ましく、具体的にはその程度はペット類の種類、年齢、性格、体毛の多少などを考慮して適宜決定される。
【００１７】
上記した例において、前記熱可塑性樹脂製ネットの幅は防虫足輪をペット類の下脚部に装着した際の足輪の高さに相当するが、これはペット類の種類や大きさ、下脚部の長さなどに応じて選択され、装着した際の防虫足輪の所望高さになるように適宜決定される、また、装着部位の下脚部の外周長さに応じて当該装着部位におけるペット類の下脚部との接触有効面積を調整するためにその高さを調整することもあるが、一般には前記した範囲内である。
【００１８】
また、前記熱可塑性樹脂製ネットの長さは、最短でも防虫足輪にした際に、これを円周方向に押し広げてペットの足を通して下脚部に装着可能となる長さが必要であり、従って、この長さは装着させるペット類の足や下脚部の大きさ（太さ）によって変わり、特に限定されないが、通常ペット類の装着部位の外周長さの２倍以上は必要であり、一般的には上記範囲から選定される。
【００１９】
また、前記した前記熱可塑性樹脂製ネットの長さは防虫足輪としたときの皺の数にも関係し、図３に示すような折り皺をつけた筒状の足輪とした場合に、これを伸ばしたときの全体長さが長くなるように収縮襞の数を多くすることにより、殺虫成分を含む足輪部分の投影面積が同一でも殺虫成分を多く含む防虫足輪とすることもできる。
【００２０】
前記例示した防虫足輪を構成するための熱可塑性樹脂製ネットにおいて、熱可塑性樹脂の種類には特に限定されないが、取扱いが可能な程度に柔軟性があり、また、蒸散性の殺虫成分が含有可能な樹脂であることが必要である。
【００２１】
このような熱可塑性樹脂製ネットを構成する熱可塑性樹脂としては、ポリエチレン、ポリプロピレンなどのポリオレフィン樹脂、エチレンーメチルメタクリレート共重合体、エチレンー酢酸ビニル共重合体、ナイロンなどのポリアミド樹脂、軟質ポリ塩化ビニル樹脂、ポリエステル樹脂、アクリル樹脂、ポリエチレンテレフタレート（ＰＥＴ）樹脂などの熱可塑性樹脂やエチレンープロピレンーブタジエンなどオレフィン系エラストマーなどが例示され、本発明における熱可塑性樹脂とはこのような熱可塑性樹脂やエラストマーを総称するものである。また2種類以上の熱可塑性樹脂の混合物であってもよい。
【００２２】
尚、熱可塑性樹脂製ネットとしての柔軟性の調整、殺虫成分の含有率や蒸散速度の調整などを目的として、例えば低密度ポリエチレンと高密度ポリエチレンを適宜の割合で混合したり、オレフィン系樹脂にエチレンーメタクリル酸メチル共重合体を混合するなど、前記熱可塑性樹脂を混合物として利用してもよい。
【００２３】
かかる熱可塑性樹脂製ネットは、原料熱可塑性樹脂を例えば公知の方法で直径０．０１〜１ｍｍ程度に紡糸し、これを単繊維のままあるいはこれを撚って糸状にしたのち、ネット状に編むことによって製造することができる。
【００２４】
また、前記熱可塑性樹脂を押出機等によって所望の網目形状、網目面積および糸の太さからなるネット形状に押出し成形することにより製造することもできる。
【００２５】
熱可塑性樹脂製ネット中への殺虫成分の配合は、殺虫成分をアセトン、エタノール、エーテルなどの揮発性の有機溶媒にその濃度が１〜５０重量％程度の範囲となるように溶解させ、この殺虫成分溶液中にあらかじめ製造された単繊維から構成されるネットを含浸させたり、糸を編んで網状とした場合には繊維間に含浸させたりしてもよいが、長期間安定して蒸散させるには熱可塑性樹脂中に予め所定量の殺虫成分を直接練りこみ、これを回転ダイスを用いた押出成形によりネット状に加工する方法が最も好ましい。
【００２６】
かかる目的で使用される常温蒸散性の殺虫成分としては、例えばエンペントリン、トランスフルフリン、メトフルトリン（２，３，５，６−テトラフルオロ−４−メトキシメチルベンジル  ３−（１−プロペニル）−２，２−ジメチルシクロプロパンカルボキシラート）、プロフルトリン（２，３，５，６−テトラフルオロ−４−メチルベンジル  ３−（１−プロペニル）−２，２−ジメチルシクロプロパンカルボキシラート）などの常温揮散性ピレスロイド化合物が挙げられ、これらの中でもメトフルトリン、プロフルトリン、トランスフルスリンが好ましく使用される。
【００２７】
殺虫成分の保持量は使用する殺虫成分の種類、防虫足輪の大きさ、対象とするペット類の種類、使用期間等によって異なるが、一般的には、防虫足輪中の含量として０.５〜１０重量％の範囲である。
【００２８】
本発明の防虫足輪において、前記熱可塑性樹脂製ネットに代表される伸縮材料中には、常温蒸散性の殺虫成分のみならず、必要に応じて酸化防止剤、シリカやタルクなどの無機フィラーなど一般的に使用される各種の配合剤が適宜配合されていてもよい。
【００２９】
また、染料、無機若しくは有機顔料などを適宜配合し、カラフルな足輪とすることにより装飾性を向上させることもできる。
【００３０】
尚、本発明の防虫足輪は、全体としての形状は前記したように殺虫成分が含有された伸縮性の筒状物からなるが、該筒状の足輪部分の全部にわたって殺虫成分が含浸されている必要は無く、殺虫成分の種類、含量、対象ペット類の大きさなどによっては、その内の一部であってもよい。
【００３１】
このような例としては、例えば筒状の足輪部分の高さ方向の下半分、あるいは上半分、あるいは中央部分の円周部分にのみ殺虫成分を含有させていてもよい。
【００３２】
尚、特殊な例として筒状の足輪の円周部分を分断し、円周幅のうちの一部について高さ方向にのみ殺虫成分を含有させることも考えられ、この場合には、蒸散した殺虫成分により下脚部に取り付いたノミやダニなどが駆除することも可能ではあるが、殺虫成分を含有した足輪部分との直接的に接触することなく殺虫成分未含有の足輪部分をすり抜けて上体に移動する可能性があるため、あまり好ましくなく、少なくともペット類の下脚部の外周を覆う円周部分については殺虫成分が含有されているようにしておくことが好ましい。
【００３３】
本発明の防虫足輪は、殺虫成分が含有された伸縮性の筒状物を基本構成とするが、例えば襞のついた通気性のある薄布、好ましくはメッシュ状の襞のついた薄布を当該足輪の円周方向に一体的に伸縮可能に設けることにより、外観的にはペット類の下脚部にレース状の装飾襞を巻きつけたようになって防虫足輪としての意匠性を向上させることができる。
【００３４】
このような意匠性の向上した防虫足輪を製造する方法は任意であるが、例えば、前記殺虫成分含有の熱可塑性樹脂製ネットのいずれか一方または両方の面に好ましくは通気性のある薄布好ましくはメッシュ状の薄布を重ね、この重なった状態で前述したように皺を設けつつ糸ゴムを通して筒状にすることにより、レース状の装飾襞を有した伸縮性を有する防虫足輪とすることができる。
この場合、前記薄布の高さを熱可塑性樹脂製ネットの幅よりも広くすることにより、レース状の装飾襞をすそ広がりにしたり、前記薄布として所望の色に染色した薄布を用いたり、模様を施しておくことによって、あるいはこれらを組み合わせることによってより意匠性のより向上した防虫足輪とすることができる。
【００３５】
さらには、このような防虫足輪に前記のような装飾レースをつけることなく、あるいは装飾レースを付した後に、部分的にリボンなどの装飾物を防虫足輪に設けてもよく、これにより、防虫足輪を装飾品としても楽しむことができる。
【実施例】
【００３６】
次に実施例により本発明を詳細に説明するが、本発明は以下の例に限定されるものではない。
【００３７】
実施例１
エチレンーメタクリル酸メチル共重合体（共重合体中のメタクリル酸メチルモノマーの割合２５重量％、商品名：アクリフトＷＫ３０７、住友化学株式会社製）２８重量部及び２，３，５，６−テトラフルオロー４−メトキシメチルベンジル１R−トランスー３−（１−プロペニル（E／Z＝１／８））−２，２−ジメチルシクロプロパンカルボキシレート  ５重量部を密閉式加圧ニーダー（森山製作所製）を用いて溶融混連し、得られた混練を押し出しながらホットカットしてペレットを得た。
このペレット３３重量部と直鎖状低密度ポリエチレン（スミカセン  FV-405、住友化学株式会社製）のペレット６７重量部とを混合・混練して混練物を得た。
次いで、この混練物を押出成型機からネット成型用異形ダイスを介して押出し、延伸することにより、１辺が約５ｍｍの略ヒシ型の網（網を形成するフィラメントの直径は０．５ｍｍ）で直径７cmの円筒状となった成型体を得た。このネットを幅４ｃｍ、長さ１ｍに切断し、太さ０．８ｍｍの糸ゴムを最大伸張になるまでネットの長さ方向に伸ばしながら幅間隔１ｃｍで前記ネットに重ね、この状態を維持しながらネットと糸ゴムを縫い付けて一体化した。
【００３８】
得られたネットは、幅は幅４ｃｍで加工前と同じであったが、長さは多数の折皺をつけながら糸ゴムの伸縮で短くなり、糸ゴムの伸張前の長さである３５ｃｍとなった。
【００３９】
得られた折皺のついたネットを長さ８ｃｍ毎に切断し、その両端同士を合せて縫製し、高さ４ｃｍ、内周長さ約８ｃｍ（直径約２.５ｃｍ）の筒状の足輪を４個製造した。
【００４０】
この筒状の足輪を円周方向におしひろげながら、下脚部の外周長さが約８ｃｍの３歳の柴犬の前後４本の足を通してその下脚部に装着すると、糸ゴムの収縮力により当該位置に軽く固定され、足先から脱落することも無かった。
【００４１】
この足輪をつけた状態で、朝夕１回の公園での散歩を含めた通常の飼育を行ったが、１ケ月経過後もノミやダニの付着は認められなかった。
【図面の簡単な説明】
【００４２】
【図１】本発明の防虫足輪に用いる常温蒸散性の殺虫成分を含有した熱可塑性樹脂製ネットを示す。
【図２】図１の熱可塑性樹脂製ネットの片面に、長さ方向に伸張した３本の糸ゴムを平行に載置した状態を示す。
【図３】図３の状態で熱可塑性樹脂製ネットと糸ゴムを縫製、固着した後、糸ゴムの伸張を解いた状態を示す。
【図４】本発明の防虫足輪の例を示す
【符号の説明】
【００４３】
１  熱可塑性樹脂製ネット
２  糸ゴム
【図１】
2008005733.tif 000003
【図２】
2008005733.tif 000004
【図３】
2008005733.tif 000005
【図４】
2008005733.tif 000006